(57)【要約】【課題】従来の充電器は、安価だが充電に数時間を要するので市販されているタイマーでは充電完了を計るのは難しく、何度も時計を見たり、つい充電しているのを忘れてしまって過充電になって、充電式電池を痛めてしまう事が良く有った。【解決手段】  充電完了時に充電式電池の温度が上昇するのに着目して、形状記憶合金の板がその熱を受けて変形する事を利用して、陽極端子を陽極充電端子から上に外して充電を停止させる。それと同時に陰極充電端子のバネの力で充電式電池を陽極側に押して、陽極側の外縁部を陽極充電端子の下側の絶縁材に押し付けた状態で固定する。そこで形状記憶合金の板が冷えて元の形状に戻っても、再び充電される事は無いので過充電になる事は無い。【選択図】図４
2010136465.tif 000002
【特許請求の範囲】
【請求項１】
充電中を示すパイロットランプを充電器本体に取り付けて置き、充電器
の陰極充電端子をバネにして、反対側には固定式の陽極充電端子を取り
付ける。そしてその陽極充電端子の上面には何も取り付けず、下面に絶
縁材又は充電器本体の絶縁性を有する材料で構成する。充電時の充電
式電池の下側と充電器本体の間に、普通の温度では直線状を保ち、充電
式電池が充電完了時に温度が上がると、その熱で変形して充電式電池の
陽極側を上に押し上げる形状記憶合金又はバイメタルを陰極端子側で充
電器本体に固定する。そして充電式電池の陽極側が押し上げられると、陽
極端子が陽極充電端子から外れて充電が停止されパイロットランプも消
える。それと同時に、充電器の陰極充電端子のバネの力で、充電式電池
が押されて陽極側の外縁部が絶縁材に押圧された状態のまま固定される。
充電を停止して、時間が経って形状記憶合金やバイメタルが元の形状に
戻っても再び充電しない事を特徴とする充電式電池の充電器。
【請求項２】
充電中を示すパイロットランプを充電器本体に取り付けて置き、充電式
電池の充電器の陰極充電端子をバネにして、反対側に固定式の陽極充
電端子を取り付ける。そしてその陽極充電端子の上面には何も取り付け
ず、下面に絶縁材又は充電器本体の絶縁性を有する材料で構成する。
充電式電池が充電完了時に温度が上がるとその熱で変形して充電式電
池の陽極側を上に押し上げる形状記憶合金又はバイメタルを、充電式電
池の陽極端子側の下に取り付けて、充電式電池が充電完了時に温度が
上がるとと、その熱で変形して充電式電池の陽極側を上に押し上げる。す
ると陽極端子が陽極充電端子から外れて充電が停止されパイロットランプ
も消える。それと同時に、充電器の陰極充電端子のバネの力で、充電式電
池が押されて陽極側の外縁部が絶縁材に押圧された状態に戻ってそのま
ま固定される。時間が経って形状記憶合金やバイメタルが元の形状に戻っ
ても再び充電しない事を特徴とする充電式電池の充電器。
【発明の詳細な説明】
【技術分野】
【０００１】
本発明は、充電器にパイロットランプを充電中に点灯する様にして、充電
式電池を充電する際に、充電完了時に充電式電池の温度が上昇する事
に着目し、充電中の充電式電池の下に形状記憶合金の板を接する様に
設けて置く。そして、充電完了時に充電式電池の温度が上昇するとその熱
でその下の形状記憶合金の板の温度も上昇して変形し、陽極端子側を持
ち上げる。その時充電式電池の陽極端子は陽極充電端子から上に外れ
る、するとパイロットランプが消え、同時に陰極充電端子のバネの力で充電
式電池が押されてその陽極側の外縁部が絶縁材に押し付けられた状態
のまま固定される。時間が経って形状記憶合金の板が元の形状に戻って
もそのままの状態を維持するので、再び充電をする事は無く、過充電を起
こさない充電式電池の充電器に関するものである。
【背景技術】
【０００２】
現在の充電式電池の充電器は比較的安価に提供されている。その代
わりに充電の完了は、メーカーの指定された時間の経過を知る事に求め
られている。ところが指定されている時間が数時間以上で有ったりする。
ところが現在市販されているタイマーの多くが１００分未満なのでその警告
音で充電の完了を知る事は難しい。その為についつい充電の時間経過を
何度も確認しなくてはいけなかったり、忘れてしまって過充電になって充電
式電池を痛めてしまう事が良くある。これで充電式電池の寿命を短くして
しまっては、普通の電池を使用した方がましだと言う事に成りかねない。
これが地球環境の為には良い事だと解っていても、充電式電池の普及を
遅らせている大きな原因だと考えられる。
【０００３】
しかし、過充電を防ぐ為に色々と改良を加えても、その為に構造が複雑
になって充電器自体の価格が上昇してしまっては何の利益にもならない。
その為の解決策として、陽極側出力端子と陰極側出力端子の片方又は両
方を形状記憶合金やバイメタルで形成して、充電で蓄電池の温度が上昇
するとその温度上昇が形状記憶合金やバイメタル製の出力端子に伝わり、
出力端子が外側に変形して蓄電池と出力端子を非接触状態にして充電電
力の供給を停止すると言う発明がなされている。この発明は充電器の構
造が非常に簡単であり、安価に提供されるという利点がある。しかし、この
発明の最大の欠点は、運良く蓄電池と出力端子が非接触の状態を見つけ
ると蓄電池を取り外せば良いのだが、非接触の状態を見逃して蓄電池と
出力端子の温度が下がると又充電を始めてしまう。又うっかり充電してい
るのを忘れて外出などしてしまうと、充電と非充電を繰り返してしまい、つ
いには過充電を引き起こす恐れがある。
【特許文献１】特開平8-138757号公報
【発明の開示】
【発明が解決しようとする課題】
【０００４】
充電式電池の利点は、普通の電池に比べて最初は価格が多少高くつい
ても、充電して何度でも利用する事で結局は安上がりになる点で省資源で
あり、普通の電池の様に大量に廃棄される事が少ないので、地球環境の
為に良い。しかし、充電式電池の価格や充電器の価格があまり高くついた
り、使い勝手が悪かったりして過充電を度々引き起こす様な物で有っては
中々普及するとは考えにくい。その為には充電器も安い事が要求される。
しかし充電器を安くする為に構造を簡単にしてしまうと、過充電を起こして
充電式電池を駄目にしてしまう恐れがある。こうなると充電式電池の起電
力が低下したり容量の低下が起こって、その能力を十分に発揮出来なく
なりかねない。
その為に過充電を絶対に起こさずに充電式電池を何度でも使用出来る構
造にする事が望まれる。しかしこの目的の為にあまり構造が複雑になって
しまって、装置自体の価格があまり高価になってしまっては結局普通の電
池を使用するのと何ら変わりが無くなってしまう。
【課題を解決するための手段】
【０００５】
充電式電池を何度でも再利用して、最初は高価であっても結局は安上
がりになる事は消費者にとっても有益であるばかりではなく、地球環境の
観点からも有益な事である。その為には充電器の価格があまり高価にな
ったり、充電器が過充電を起こす物であってはならない。
【０００６】
そこで本発明では、充電式電池の充電器の構造を簡単な物にして、しか
し充電が完了する時の充電式電池の温度上昇に応じて変形する形状記憶
合金の板を使用し、充電完了時には陽極端子が陽極充電端子から外れて
パイロットランプが消え、充電式電池の陽極側の外縁部が絶縁材に固定
される例について説明する。
【０００７】
充電中を示すパイロットランプを充電器本体に取り付けて置き、充電式
電池の充電器の陰極充電端子をバネにして、反対側に固定式の陽極充
電端子を取り付ける。そしてその陽極充電端子の上面には何も取り付け
ず、下面に絶縁材を取り付けておく。充電中の充電式電池の下側と充電
器本体の間には、普通の温度では直線状を保ち、充電式電池が充電完
了時に温度が上がると、その熱で変形して充電式電池の陽極側を上に押
し上げる形状記憶合金の板を陰極側で固定して取り付けて置く。
形状記憶合金の板が上に反った時には陽極端子と陽極充電端子の接触
が断たれて充電が停止され、充電中を示すパイロットランプも消える。
【０００８】
この様に構成したので、充電完了時に充電式電池の温度が上がると、形
状記憶合金の温度も上昇して陽極端子側を上に押し上げる。すると、陽
極端子が陽極充電端子から外れてその上の何も無い所に向かう、この時
充電が停止され、パイロットランプも消えると同時に陰極充電端子のバネ
の力で充電式電池が押されて陽極側の外縁部が陽極充電端子の下側の
絶縁材に押圧された状態のまま固定される。
【０００９】
そこで充電が停止されて充電式電池の温度や形状記憶合金の温度が
下がっても、陰極充電端子のバネの押圧力には何の関係も無いので、充
電式電池の陽極端子側の外縁部は絶縁材に押し付けられたままになる。
そこで、再び充電される事は無く過充電は起きない。また、パイロットラン
プも消えており、最初水平に取り付けた充電式電池が斜めになっているの
で充電が完了した事が一目でわかる。
【００１０】
もう一つの方法は、充電式電池の陽極端子側の外周部の下側に、外周
部に添って形状記憶合金の板を充電器本体に取り付けて置く。そして、こ
の形状記憶合金の板が充電式電池の充電完了時に陽極端子側の温度も
上昇するのに応じて、その熱を受けて変形する事で、充電式電池の陽極
端子側を押し上げる。すると、陽極端子と陽極充電端子の接触が断たれ
て充電が停止され、充電中を示すパイロットランプも消える。それと同時に
陰極充電端子のバネの力で、充電式電池が押されて陽極側の外縁部が
絶縁材に押圧された状態のまま固定されるので再び充電される事は無く、
過充電は起きない。
【発明の効果】
【００１１】
この様に構成したので、本発明の充電式電池の充電器は、充電式電池
を充電器にセットさえして置けば、後は自動的に充電をして充電が終われ
ばパイロットランプも消えるし、充電式電池の陽極側が自動的に持ち上が
り、そのままの状態をいつまでも続けるので過充電の心配もしなくて済む。
構造自体も比較的簡単であり、充電器の価格もそんなに高くはならない。
【発明を実施するための最良の形態】
【００１２】
充電中を示すパイロットランプを充電器本体に取り付けて置き、充電式
電池の充電器の陰極充電端子をバネにして、反対側に陽極充電端子を
固定して取り付ける。そしてその陽極充電端子の上面には何も取り付けず、
下面には絶縁材を取り付けてある。充電時の充電式電池の下と充電器本
体の間に、温度が上がると充電式電池の陽極端子側を持ち上げる形状
記憶合金の板を取り付ける。又は充電時の充電式電池の陽極側の下に、
温度が上がると変形して陽極端子側を上に持ち上げる形状記憶合金の板
を取り付ける。
【実施例１】
【００１３】
図１は、本発明の実施例１の平面図で、陽極充電端子の下には絶縁材
が取り付けてあり、充電式電池の温度が上昇して陽極側を持ち上げる為
に形状記憶合金の板を使用した場合について表している。１は充電器本
体、２はパイロットランプ、３はバネ製の陰極充電端子、４は固定式の陽極
充電端子、５は絶縁材、６は充電式電池収納部、７は形状記憶合金の板
をそれぞれ表す。
【００１４】
図２は、本発明の実施例１の充電中を示す平面図で、１〜７は同じで、８
は充電式電池、９は陽極端子、１０は陽極側の外縁部をそれぞれ表す。
【００１５】
図３は、充電中のA-A断面図で、図４は充電完了後のA-A断面図をそれ
ぞれ表す。
【００１６】
この様に構成したので、本発明の充電器で充電中は、図３のA-A断面図
に示す様に、充電式電池は、充電式電池の収納部でバネ製の陰極充電
端子のバネの力で陽極端子が固定式の陽極充電端子に押圧されている。
そして、充電式電池の下側には充電式電池に沿って形状記憶合金の板
が収まっている。
【００１７】
そして、充電完了時に充電式電池の温度が上昇してくると、その下側の
形状記憶合金の板もその熱を受けて変形して、図４のA-A断面図に示す
様に、充電式電池の陽極側を押し上げ、陽極端子と陽極充電端子の接触
を外してパイロットランプも消える。それと同時に陰極充電端子のバネの
力で充電式電池が押されて、充電式電池の陽極側の外縁部が絶縁材に
押し付けられた状態で固定される。時間が経って形状記憶合金の板が元
の形状に戻ってもこの状態は保たれるので、パイロットランプは消えたまま
で、再び充電される事も無いので過充電は起きない。
【実施例２】
【００１８】
殆どの部分は実施例１と同じであるが、実施例１の、７の形状記憶合金
の板を除いて、その代わりに、１７の形状記憶合金の板を陽極側に取り付
けたもので、７以外の１〜１０は実施例１と同じである。図５は、本発明の
実施例２の平面図で、図６はその充電中を示す平面図である。
【００１９】
図７は、充電中のB-B断面図で、図８は、充電完了後のB-B断面図をそ
れぞれ表す。
【００２０】
この様に構成したので、本発明の充電器で充電中は、図７のB-B断面図
に示す様に、充電式電池は、充電式電池の収納部でバネ製の陰極充電
端子のバネの力で陽極端子が固定式の陽極充電端子に押圧されている。
そして、充電式電池の陽極側の下側にはその外周に沿って、１７の形状
記憶合金の板が充電器本体に固定されている。
【００２１】
そして、充電完了時に充電式電池の温度が上昇すると、１７の形状記憶
合金の板の温度も上昇して変形し、図８のB-B断面図に示す様に充電式
電池の陽極側を上に押し上げる。すると陽極端子と陽極充電端子の接触
を外してパイロットランプも消える。それと同時に陰極充電端子のバネの
力で充電式電池が押されて、充電式電池の陽極側の外縁部が絶縁材に
押し付けられた状態で固定される。時間が経って形状記憶合金の板が元
の形状に戻ってもそのままの状態は保たれるので、パイロットランプは消
えたままで、再び充電される事も無いので過充電は起きない。
【産業上の利用可能性】
【００２２】
普通の電池を使用して、使い終わるとそのまま廃棄してしまう事は、大量
の資源の浪費になるばかりでなく、大量の廃棄物を生み出すので地球環
境にとって二重の負担を与える事になる。その為には充電式の電池を使
用して、何度も再利用すれば地球環境の為になる事は明白である。しかし、
充電器があまり高価なものであってはその普及には結びつきにくい。
【００２３】
しかし、例えそれが安価な物であっても、過充電を起こし易い物であって
はならない。過充電を起こして充電式電池の寿命を縮めてしまったのでは、
普通の電池を使用するのと大差がない。
【００２４】
そこで、比較的安価でしかも決して過充電を起こさない充電器が求めら
れている。本発明の充電式電池の充電器の普及が地球環境にあまり負
荷を掛けないとすれば、大変喜ばしい事である。
【００２５】
本発明は、充電式電池の充電完了時の温度上昇に着目しただけなの
で、従来提供されている安価な充電器に、形状記憶合金の板と絶縁材を
加えるだけで製造できるので比較的安価に提供できる上に、充電が完了
して陽極端子が陽極充電端子から外れてしまうと、もう二度と充電される
事が無いので過充電を起こさないので、一日も早く普及して、地球環境を
これ以上壊さない様にする事が望まれる。
【図面の簡単な説明】
【００２６】
【図１】本発明の実施例１の平面図である。(実施例１)
【図２】本発明の実施例１の充電式電池を充電中の平面図である。            (実施例１)
【図３】本発明の実施例１の充電式電池を充電中のA-A 断面図で            ある。(実施例１)
【図４】本発明の実施例１の充電式電池の充電完了後を示すA-A            断面図である。(実施例１)
【図５】本発明の実施例２の平面図である。(実施例２)
【図６】本発明の実施例２の充電式電池を充電中の平面図である。            (実施例２)
【図７】本発明の実施例２の充電式電池を充電中のB-B断面図で            ある。(実施例２)
【図８】本発明の実施例２の充電式電池の充電完了後を示すB-B            断面図である。(実施例２)
【符号の説明】
【００２７】
１  充電器本体
２  パイロットランプ
３  バネ製の陰極充電端子
４  固定式の陽極充電端子
５  絶縁材
６  充電式電池の収納部
７  形状記憶合金の板
８  充電式電池
９  陽極端子
１０  陽極側の外縁部
１７  形状記憶合金の板
【図１】
2010136465.tif 000003
【図２】
2010136465.tif 000004
【図３】
2010136465.tif 000005
【図４】
2010136465.tif 000006
【図５】
2010136465.tif 000007
【図６】
2010136465.tif 000008
【図７】
2010136465.tif 000009
【図８】
2010136465.tif 000010